(57)【要約】【課題】  清掃作業の負担を軽減する。【解決手段】  循環配管系２に接続されるヘアキャッチャー本体７内に循環水中のヘアーなどの雑介物を除去する捕集バスケット８を設けたヘアキャッチャー６において、ヘアキャッチャー本体７外周に捕集バスケット８の外側から内側に旋回流を発生させつつ逆洗するための逆洗用ノズル１５を設けた。【選択図】  図１
2005288280.tif 000002
【特許請求の範囲】
【請求項１】
循環配管系に接続されるヘアキャッチャー本体内に循環水中のヘアーなどの雑介物を除去する捕集バスケットを設けたヘアキャッチャーにおいて、ヘアキャッチャー本体外周に捕集バスケットの外側から内側に旋回流を発生させつつ逆洗するための逆洗用ノズルを設けたことを特徴とするヘアキャッチャーの洗浄装置。
【請求項２】
ヘアキャッチャーは、ヘアキャッチャー本体内に、その本体内を仕切るように捕集バスケットが設けられて構成され、そのヘアキャッチャー本体の上部が循環配管系の上流側配管に接続され、ヘアキャッチャー本体の下部が循環配管系の下流側配管に接続され、その下流側配管に循環ポンプが接続されて、通常運転時は上流側配管からヘアキャッチャーを通して下流側配管に流れるようにされ、逆洗洗浄時は、上記上流側配管からの循環水がバイパス配管を介して循環ポンプから上記逆洗用ノズルに供給され、かつヘアキャッチャー本体の上部から排水されるように構成される請求項１記載のヘアキャッチャーの洗浄装置。
【請求項３】
上流側配管に上流側三方切替弁を介して循環ポンプの吸込側を接続するバイパス配管が接続され、循環ポンプの吐出側配管に下流側三方切替弁を介して逆洗用ノズルを接続する逆洗用供給配管が接続され、上流側三方切替弁とヘアキャッチャー本体上部間に逆洗後の洗浄水を排出する排出管を接続した請求項２記載のヘアキャッチャーの洗浄装置。
【請求項４】
逆洗用供給配管には、その逆洗用供給配管より分岐し、洗浄水の一部をヘアキャッチャー本体の底部に供給する逆洗分岐配管が接続される請求項３記載のヘアキャッチャーの洗浄装置。
【請求項５】
ヘアキャッチャー本体は、円筒体状に形成され、その円筒体状のヘアキャッチャー本体内に円環状のフランジが取り付けられ、そのフランジに円筒かご型に形成された捕集バスケットが取り付けられ、逆洗用ノズルはヘアキャッチャー本体に、上記捕集バスケットの略接線方向となるように、かつ、上下多段で複数設けられる請求項１〜４いずれかに記載のヘアキャッチャーの洗浄装置。
【請求項６】
上記ヘアキャッチャー本体に洗浄消毒剤を投入する洗浄消毒剤投入口を設けた請求項１〜５いずれかに記載のヘアキャッチャーの洗浄装置。
【請求項７】
上記ヘアキャッチャー本体の側面に、循環配管系の下流側配管に臨む位置から捕集バスケットに逆洗水を噴射する側部ノズルを設けると共に、ヘアキャッチャー本体の底部に、捕集バスケットの内周面に沿って逆洗水を噴射する底部ノズルを設けた請求項１〜６いずれかに記載のヘアキャッチャーの洗浄装置。
【発明の詳細な説明】
【技術分野】
【０００１】
本発明は、浴槽やプールの循環配管系に接続されヘアーなどの雑介物を捕捉するヘアキャッチャーの洗浄装置に関するものである。
【背景技術】
【０００２】
循環式浴槽や循環式遊泳プールの循環配管系に接続されるヘアキャッチャーは、外殻を構成するヘアキャッチャー本体と、ヘアキャッチャー本体内に固定金具を介して着脱可能に設けられた捕集バスケットとを備えて構成されている。
【０００３】
ヘアキャッチャーを清掃する場合は、ヘアキャッチャー本体に堅固にボルト締めされた蓋を取り外し、内部を清掃していた。
【０００４】
ところで、循環式浴槽等においては、最近レジオネラ属菌等の繁殖を防止するため、厚生労働大臣告示や条例などで毎日清掃消毒することが義務づけられるに至っている。
【０００５】
【特許文献１】特開２００２−１１３０７号公報
【発明の開示】
【発明が解決しようとする課題】
【０００６】
しかしながら、ヘアキャッチャーは浴槽ごとに設置されるものであり、多数の浴槽を有する公共浴場等においては多数のヘアキャッチャーを毎日清掃しなくてはならず、清掃作業が重い負担となっているという課題があった。
【０００７】
そこで本発明の目的は、上記課題を解決し、清掃作業の負担を軽減できるヘアキャッチャーの洗浄装置を提供することにある。
【課題を解決するための手段】
【０００８】
上記課題を解決するために本発明は、循環配管系に接続されるヘアキャッチャー本体内に循環水中のヘアーなどの雑介物を除去する捕集バスケットを設けたヘアキャッチャーにおいて、ヘアキャッチャー本体外周に捕集バスケットの外側から内側に旋回流を発生させつつ逆洗するための逆洗用ノズルを設けたものである。
【０００９】
ヘアキャッチャーは、ヘアキャッチャー本体内に、その本体内を仕切るように捕集バスケットが設けられて構成され、そのヘアキャッチャー本体の上部が循環配管系の上流側配管に接続され、ヘアキャッチャー本体の下部が循環配管系の下流側配管に接続され、その下流側配管に循環ポンプが接続されて、通常運転時は上流側配管からヘアキャッチャーを通して下流側配管に流れるようにされ、逆洗洗浄時は、上記上流側配管からの循環水がバイパス配管を介して循環ポンプから上記逆洗用ノズルに供給され、かつヘアキャッチャー本体の上部から排水されるように構成されるとよい。
【００１０】
また、上流側配管に上流側三方切替弁を介して循環ポンプの吸込側を接続するバイパス配管が接続され、循環ポンプの吐出側配管に下流側三方切替弁を介して逆洗用ノズルを接続する逆洗用供給配管が接続され、上流側三方切替弁とヘアキャッチャー本体上部間に逆洗後の洗浄水を排出する排出管を接続するとよい。
【００１１】
逆洗用供給配管には、その逆洗用供給配管より分岐し、洗浄水の一部をヘアキャッチャー本体の底部に供給する逆洗分岐配管が接続されるとよい。
【００１２】
ヘアキャッチャー本体は、円筒体状に形成され、その円筒体状のヘアキャッチャー本体内に円環状のフランジが取り付けられ、そのフランジに円筒かご型に形成された捕集バスケットが取り付けられ、逆洗用ノズルはヘアキャッチャー本体に、上記捕集バスケットの略接線方向となるように、かつ、上下多段で複数設けられるとよい。
【００１３】
上記ヘアキャッチャー本体に洗浄消毒剤を投入する洗浄消毒剤投入口を設けるとよい。
【００１４】
また、上記ヘアキャッチャー本体の側面に、循環配管系の下流側配管に臨む位置から捕集バスケットに逆洗水を噴射する側部ノズルを設けると共に、ヘアキャッチャー本体の底部に、捕集バスケットの内周面に沿って逆洗水を噴射する底部ノズルを設けるとよい。
【発明の効果】
【００１５】
本発明によれば、清掃作業の負担を軽減できる。
【発明を実施するための最良の形態】
【００１６】
図１は、本発明の好適実施の形態を示すヘアキャッチャーの側断面図であり、図２は図１の平面断面図である。図３は循環配管系の回路図である。
【００１７】
図３に示すように、浴槽１に両端を接続された循環配管系２には、浴槽１の水（湯）を循環配管系２の一端から吸い込んで循環させるための循環ポンプ３が接続されている。循環配管系２には、循環ポンプ３の吐出側に逆止弁４と濾過器５が接続されており、循環ポンプ３の吸込側にヘアキャッチャー６が接続されている。
【００１８】
図１及び図２に示すように、ヘアキャッチャー６は、循環配管系２に接続されるヘアキャッチャー本体７内に循環水中のヘアーなどの雑介物を除去する捕集バスケット８を設けて構成されている。ヘアキャッチャー本体７は、円筒体状に形成されており、下端に底を有する。ヘアキャッチャー本体７の上端には、樹脂製の透明な蓋３３がボルト（図示せず）を介して取り付けられている。また、円筒体状のヘアキャッチャー本体７内には後述する捕集バスケット８を取り付けるためのフランジ９が設けられている。フランジ９は、ヘアキャッチャー本体７の内周面１０から径方向内側に延びる円環状に形成されている。捕集バスケット８は、円筒かご型に形成されており、上端にフランジ９上に載置して取り付けられるリブ１１を有する。リブ１１は、フランジ９に固定金具１２を介して堅固に取り付けられるようになっている。固定金具１２は、逆洗時に捕集バスケット８の浮き上がりを防止する。そして、リブ１１がフランジ９に取り付けられることで、捕集バスケット８は、ヘアキャッチャー本体７内を仕切るようになっている。
【００１９】
ヘアキャッチャー本体７は、上部を循環配管系２の上流側配管１３に接続され、下部を循環配管系２の下流側配管１４に接続されている。これによりヘアキャッチャー６は、濾過器５に浴槽１の水を循環させる通常運転時に、上部から循環水を取り入れ、ヘアキャッチャー６を通して下部から流すように構成されている。また、ヘアキャッチャー本体７の外周には、捕集バスケット８をその外側から内側に旋回流を発生させつつ逆洗するための逆洗用ノズル１５が設けられている。逆洗用ノズル１５は、ヘアキャッチャー本体７に、上下多段で複数設けられると共に、周方向にも複数設けられている。それぞれの逆洗用ノズル１５は、捕集バスケット８の略接線方向となるように、すなわち、噴射口を捕集バスケット８の略接線方向に向けて配置されており、捕集バスケット８に噴流をまとわりつかせながら旋回流を発生させるようになっている。
【００２０】
図３に示すように、循環配管系２の上流側配管１３には、逆洗洗浄時に浴槽１からの循環水をヘアキャッチャー６を迂回して循環ポンプ３の吸込側に流すためのバイパス配管１６が上流側三方切替弁１７を介して接続され、循環ポンプ３の吐出側配管１８には、逆洗用ノズル１５に接続される逆洗用供給配管１９が下流側三方切替弁２０を介して接続されている。またさらに、上流側配管１３のうち、上流側三方切替弁１７とヘアキャッチャー本体７上部とを接続する部分には、逆洗後の洗浄水を排出するための排出管２１が接続されており、上流側三方切替弁１７をバイパス配管１６に接続するように切り替えたとき、ヘアキャッチャー６から上流側配管１３に逆流する逆洗水を排出管２１に流して排出できるように構成されている。逆洗用供給配管１９には、その逆洗用供給配管１９より分岐し、洗浄水の一部をヘアキャッチャー本体７の底部中央に供給する逆洗分岐配管２２が接続されている。逆洗分岐配管２２から噴射される水は、捕集バスケット８の底部を洗浄すると共に旋回中心に軸流を発生させ、旋回流を強めると共にヘアキャッチャー６内に三次元的な流れを作って洗浄力を高める。
【００２１】
バイパス配管１６と排出管２１には、開閉弁２３、２４が設けられており、通常運転時に閉じることで循環水がヘアキャッチャー６を迂回したりヘアキャッチャー６に至る前に排出されたりしないようになっている。そして、下流側配管１４にも、バイパス配管１６との合流点の上流側に開閉弁２５が設けられており、逆洗時に閉じることでヘアキャッチャー６内の洗浄水が循環ポンプ３側へ流出するのを防ぐようになっている。
【００２２】
また、ヘアキャッチャー本体７には、洗浄消毒剤を投入するための洗浄消毒剤投入口２６が設けられており、ヘアキャッチャー６を逆洗する前にヘアキャッチャー６内に付着した汚れを剥離し、ヘアキャッチャー６内を消毒できるようになっている。洗浄消毒剤投入口２６に接続される投入配管２７には、洗浄消毒剤投入ホッパー３４と、開閉弁２８とが設けられている。開閉弁２８は、通常運転時又は逆洗時にヘアキャッチャー６内の水が投入配管２７を通じて漏出するのを防ぐように機能する。洗浄消毒剤としては、過酸化水素（Ｈ2Ｏ2）水溶液を用いる。
【００２３】
逆洗用供給配管１９には、洗浄消毒剤を投入する前にヘアキャッチャー６内の水を適宜抜くための排水管２９が分岐して接続されており、排水管２９に設けられた開閉弁（排水弁）３０を開けることでヘアキャッチャー６の水位を適宜下げられるようになっている。
【００２４】
次に本実施の形態の作用を述べる。
【００２５】
図３に示す浴槽１の水を濾過器５に循環させる場合、バイパス配管１６の開閉弁２３と排出管２１の開閉弁２４を閉じると共に下流側配管１４の開閉弁２５を開き、上流側三方切替弁１７と下流側三方切替弁２０をそれぞれ循環配管系２同士を接続するように切り替える。図１及び図４に示すように、循環ポンプ３を作動させることで、浴槽１内の水は上流側配管１３に吸い込まれ、上流側三方切替弁１７を経てヘアキャッチャー６内に送られる。循環水はヘアキャッチャー６内を通過する際、捕集バスケット８に雑介物を漉し取られ、下流側配管１４に流れる。循環ポンプ３から吐出された循環水は、逆止弁４を経て濾過器５に送られ、濾過されたのち、浴槽１に戻される。図４の実線で描かれた配管は水が流通する配管を示し、点線で描かれた配管は水が流通しない配管を示す（後述する図５、図６についても同様）。
【００２６】
ヘアキャッチャー６の洗浄は、ヘアキャッチャー６内を洗浄消毒剤で浸したのち、循環水を逆流させて行う。この洗浄について詳述する。
【００２７】
ヘアキャッチャー６内を洗浄消毒剤で浸す場合、まず、循環ポンプ３を止め、下流側配管１４の開閉弁２５を閉じ、上流側三方切替弁１７をバイパス配管１６に接続するように切り替える。この後、図５に示すように、排出管２１の開閉弁２４を開き、排水管２９の開閉弁３０を適宜の開度で開く。排出管２１の開閉弁２４が開いており、ヘアキャッチャー６への外気の流入は自由であるため、ヘアキャッチャー６内の水は、下方の排水管２９から抜き出され、水位が４／５程度まで下がったら開閉弁３０を閉じる。この状態で、投入配管２７の開閉弁２８を開き、洗浄消毒剤投入ホッパー３４からヘアキャッチャー６内に洗浄消毒剤を投入する。ヘアキャッチャー６内の空気は排出管２１を経て系外に排出される。ヘアキャッチャー６を所定時間洗浄消毒剤に漬け置くことで、ヘアキャッチャー６内に付着した汚れを剥離させることができると共に、ヘアキャッチャー６内に発生したレジオネラ属菌等を殺菌・消毒できる。
【００２８】
ヘアキャッチャー６を逆洗する場合、バイパス配管１６の開閉弁２３を開き、下流側三方切替弁２０を逆洗用供給配管１９に接続するように切り替え、循環ポンプ３を作動させる。図６に示すように、上流側配管１３の循環水は、上流側三方切替弁１７によってバイパス配管１６に送られ、ヘアキャッチャー６を迂回して循環ポンプ３に至る。循環ポンプ３から吐出された循環水は、下流側三方切替弁２０によって逆洗用供給配管１９に送られ、逆洗用ノズル１５とヘアキャッチャー本体７の底部とからヘアキャッチャー６内に逆洗水を噴射させる。
【００２９】
図７及び図８に示すように、ヘアキャッチャー６内には、旋回流３１が発生すると共に上方へ向かう軸流３２が発生する。軸流３２は、旋回流３１を強めるように作用し、ヘアキャッチャー６内を三次元的な流れで強力に洗浄することができる。また、逆洗用ノズル１５は捕集バスケット８の略接線方向に向いているため、捕集バスケット８にまとわりつきながら捕集バスケット８に付着した汚れを迅速に落とす。
【００３０】
図６に示すように、ヘアキャッチャー６内を洗浄した洗浄水は、捕集バスケット８に捕らえられている雑介物を伴って上流側配管１３へ逆流し、排出管２１を介して系外に排出されることとなる。
【００３１】
このように、ヘアキャッチャー本体７外周に捕集バスケット８の外側から内側に旋回流３１を発生させつつ逆洗するための逆洗用ノズル１５を設けてヘアキャッチャー６の洗浄装置を構成したため、ヘアキャッチャー６内を旋回流３１で確実かつ容易に逆洗でき、清掃作業の負担を軽減できる。
【００３２】
また、ヘアキャッチャー６は、ヘアキャッチャー本体７内に、その本体７内を仕切るように捕集バスケット８が設けられて構成され、そのヘアキャッチャー本体７の上部が循環配管系２の上流側配管１３に接続され、ヘアキャッチャー本体７の下部が循環配管系２の下流側配管１４に接続され、その下流側配管１４に循環ポンプ３が接続されて、通常運転時は上流側配管１３からヘアキャッチャー６を通して下流側配管１４に流れるようにされ、逆洗洗浄時は、上流側配管１３からの循環水がバイパス配管１６を介して循環ポンプ３から逆洗用ノズル１５に供給され、かつヘアキャッチャー本体７の上部から排水されるように構成したため、循環水をヘアキャッチャー６に容易に逆流させることができ、ヘアキャッチャー６を容易に逆洗できる。
【００３３】
上流側配管１３に上流側三方切替弁１７を介して循環ポンプ３の吸込側を接続するバイパス配管１６が接続され、循環ポンプ３の吐出側配管１８に下流側三方切替弁２０を介して逆洗用ノズル１５を接続する逆洗用供給配管１９が接続され、上流側三方切替弁１７とヘアキャッチャー本体７上部間に逆洗後の洗浄水を排出する排出管２１を接続したため、上流側三方切替弁１７と下流側三方切替弁２０を切り替えるだけで容易に循環水をヘアキャッチャー６内に逆流させることができ、逆流させた循環水を容易に排出できる。
【００３４】
逆洗用供給配管１９には、その逆洗用供給配管１９より分岐し、洗浄水の一部をヘアキャッチャー本体７の底部に供給する逆洗分岐配管２２を接続したため、ヘアキャッチャー６に容易に軸流３２を発生させることができ、洗浄効果を高めることができる。
【００３５】
ヘアキャッチャー本体７は、円筒体状に形成され、その円筒体状のヘアキャッチャー本体７内に円環状のフランジ９が取り付けられ、そのフランジ９に円筒かご型に形成された捕集バスケット８が取り付けられ、逆洗用ノズル１５はヘアキャッチャー本体７に、捕集バスケット８の略接線方向となるように、かつ、上下多段で複数設けられるものとしたため、ヘアキャッチャー６内に旋回流３１を効率よく発生させることができると共に、捕集バスケット８に旋回流３１をまとわりつかせることができ、旋回流３１による洗浄効果を高めることができる。
【００３６】
ヘアキャッチャー本体７に洗浄消毒剤を投入する洗浄消毒剤投入口２６を設けたため、ヘアキャッチャー６を容易に漬け置き洗いできると共に、容易に殺菌消毒できる。
【００３７】
次に他の実施の形態について述べる。このヘアキャッチャーの洗浄装置は、上述のヘアキャッチャーの逆洗水の噴射位置に変更を加えたものである。同様の構成については同符号を付し、説明を省く。
【００３８】
図９及び図１０に示すように、ヘアキャッチャー本体４０の下部側面には、下流側配管１４に臨む位置から捕集バスケット８に逆洗水を噴射する側部ノズル４１が設けられている。側部ノズル４１は、ヘアキャッチャー本体４０に、周方向に離間して複数設けられている。それぞれの側部ノズル４１は、噴射口を捕集バスケット８の略中心へ向けて配置されており、捕集バスケット８の側面に通常運転時と逆の方向から直接噴流を当てるように構成されている。これにより、捕集バスケット８の下流側配管１４側に偏って付着する雑介物に裏側から直接水流をぶつけ、雑介物を効率よく洗浄できる。
【００３９】
また、ヘアキャッチャー本体４０の底部には、逆洗分岐配管２２に接続される底部ノズル４２が複数設けられている。具体的には、底部ノズル４２は、捕集バスケット８の外周に沿う複数の位置と、捕集バスケット８の略中心軸上の位置とに設けられており、捕集バスケット８の内周にまとわりついた雑介物を内周面に沿って上方へ押し流すと共に、捕集バスケット８の底に付着した雑介物に裏側から直接水流をぶつけ、雑介物を効率良く洗浄できるように構成されている。
【００４０】
また、捕集バスケット８の略接線方向に向き、旋回流を発生させるための逆洗用ノズル１５は、側部ノズル４１と噴流同士が干渉しないように配置されており、捕集バスケット８の側面への噴射水の洗浄効果を高めるようになっている。
【００４１】
このように、ヘアキャッチャー本体４０の側面に、下流側配管１４に臨む位置から捕集バスケット８に逆洗水を噴射する側部ノズル４１を設けると共に、ヘアキャッチャー本体４０の底部に、捕集バスケット８の内周面に沿って逆洗水を噴射する底部ノズル４２を設けても、ヘアキャッチャー４３内を確実かつ容易に逆洗でき、清掃作業の負担を軽減できる。
【図面の簡単な説明】
【００４２】
【図１】本発明の好適実施の形態を示すヘアキャッチャーの側断面図である。
【図２】図１の平面断面図である。
【図３】循環配管系の回路図である。
【図４】通常運転時の水の流れを示す説明図である。
【図５】漬け置き洗浄時の水及び空気の流れを示す説明図である。
【図６】逆洗時の水の流れを示す説明図である。
【図７】逆洗時の水の流れを示すヘアキャッチャーの側面説明図である。
【図８】逆洗時の水の流れを示すヘアキャッチャーの平面説明図である。
【図９】他の実施の形態を示すヘアキャッチャーの側断面図である。
【図１０】図９の平面断面図である。
【符号の説明】
【００４３】
２  循環配管系
３  循環ポンプ
４  逆止弁
５  濾過器
６  ヘアキャッチャー
７  ヘアキャッチャー本体
８  捕集バスケット
９  フランジ
１３  上流側配管
１４  下流側配管
１５  逆洗用ノズル
１６  バイパス配管
１７  上流側三方切替弁
１８  吐出側配管
１９  逆洗用供給配管
２０  下流側三方切替弁
２１  排出管
２２  逆洗分岐配管
２３  開閉弁（バイパス配管用）
２４  開閉弁（排出管用）
２６  洗浄消毒剤投入口
２８  開閉弁（投入配管用）
２９  排水管
３０  開閉弁
３１  旋回流
３４  洗浄消毒剤投入ホッパー
４０  ヘアキャッチャー本体
４１  側部ノズル
４２  底部ノズル
４３  ヘアキャッチャー
【図１】
2005288280.tif 000003
【図２】
2005288280.tif 000004
【図３】
2005288280.tif 000005
【図４】
2005288280.tif 000006
【図５】
2005288280.tif 000007
【図６】
2005288280.tif 000008
【図７】
2005288280.tif 000009
【図８】
2005288280.tif 000010
【図９】
2005288280.tif 000011
【図１０】
2005288280.tif 000012